(57)【要約】【課題】除湿運転を行っているのか、サーキュレーション運転を行っているのか一目では判断が付かないという課題があり、一目で運転状況を把握できる除湿装置を目的とする。【解決手段】加熱手段である再生ヒーター７の通電制御状況を表すための加熱表示部８を設け、加熱表示部８は、赤色および青色の２色を点灯することのできるＬＥＤで構成し、再生ヒーター７が弱のときに赤色に点灯する弱加熱表示ＬＥＤ８ａ、サーキュレーション運転時に青色に点灯するサーキュレーションＬＥＤ８ｄが一対に、中のときに赤色に点灯する中加熱表示ＬＥＤ８ｂ、サーキュレーション運転時に青色に点灯するサーキュレーションＬＥＤ８ｅが一対に、強のときに赤色に点灯する強加熱表示ＬＥＤ８ｃ、サーキュレーション運転時に青色に点灯するサーキュレーションＬＥＤ８ｆが一対となって配し、再生ヒーター７の通電制御状況を一目で表示する。【選択図】図１
2008093506.tif 000002
【特許請求の範囲】
【請求項１】
除湿装置本体に設けた回転可能な吸着材と、前記吸着剤に除湿対象空気を送風する送風手段と、前記吸着材を加熱再生するための加熱手段と再生ファンを備えた再生部と、この再生部と連通して水分を凝縮する熱交換部と、室内の温湿度を検出するための温度センサおよび湿度センサと、前記温度センサおよび湿度センサの検出結果に応じて前記送風手段と加熱手段と再生ファンを運転制御する制御部と、前記除湿装置本体の外郭に表示手段を備え、前記制御部は前記表示手段を用いて前記加熱手段の加熱状況を使用者に知らせることを特徴とした除湿装置。
【請求項２】
人を検出する人検出装置を設け、人の検出状況に応じて制御部は加熱手段を制御することを特徴とした請求項１記載の除湿装置。
【請求項３】
設定手段を設け、人の検出状況に応じて制御部は加熱手段を制御する運転モードを使用者が選択できることを特徴とした請求項２記載の除湿装置。
【請求項４】
表示手段は複数のＬＥＤによって構成され、加熱手段の消費電力に比例して点灯するＬＥＤの数が増減することを特徴とした請求項１〜３のいずれかに記載の除湿装置。
【請求項５】
除湿装置の保護のために、加熱手段の消費電力を低減する保護運転中においては、加熱状態の表示手段を消灯することを特徴とした請求項１〜４のいずれかに記載の除湿装置。
【請求項６】
加熱状況を暖色系の色のＬＥＤによって表示するとしたことを特徴とする請求項１〜５のいずれかに記載の除湿装置。
【請求項７】
室内湿度が設定された雰囲気湿度に達すると室内のサーキュレーションのための送風運転を行い、表示手段は加熱状況を表す色以外の色で表示することを特徴とした請求項１〜６のいずれかに記載の除湿装置。
【請求項８】
使用者が除湿装置の設定または設定変更を行うと負荷制御装置の保護のための加熱手段の出力の変更を一定時間規制し、一定時間経過後に行われる加熱手段の加熱状況を表示することを特徴とした請求項１〜７のいずれかに記載の除湿装置。
【請求項９】
室温が高温または低温時において、加熱手段の出力を停止している場合には、サーキュレーション運転であることを表示手段で表すことを特徴とした請求項１〜８のいずれかに記載の除湿装置。
【請求項１０】
加熱手段の加熱状況を示す表示手段は、排水タンクが満水時には、点滅することによって満水であることを示す機能を兼ねたことを特徴とする請求項１〜９のいずれかに記載の除湿装置。
【請求項１１】
加熱手段の加熱状況を示す表示手段は、除湿装置本体の異常時に、点滅することによって異常であることを示す機能を兼ねたことを特徴とする請求項１〜１０いずれか記載の除湿装置。
【請求項１２】
表示手段を使用者によって任意に輝度を可変、または消灯することを可能としたことを特徴とする請求項１〜１１のいずれかに記載の除湿装置。
【発明の詳細な説明】
【技術分野】
【０００１】
本発明は、使い勝手の向上した除湿装置に関する。
【背景技術】
【０００２】
従来、この種の吸湿装置は、図４に示すように、吸湿装置内部に設けられた本体外気を吸引および排出を行う送風ファン１０１と、通過する空気中の水分を吸着する吸湿材１０２と、吸湿材１０２から水分を放出するため、吸湿材１０２を加熱再生するための加熱手段である再生ヒータ１０３と、再生空気を流路循環させるための送風手段である再生ファン１０４と、吸湿材１０２から放出される水分を凝縮させる凝縮器１０５と、室温を検出するための温度センサー１０６と、湿度センサー１０７および温度センサー１０６からの信号に基づいて送風ファン１０１と再生ヒータ１０３と再生ファン１０４の運転を制御する制御部１０８と、使用者が運転モードを切り替えるための操作部１０９で構成されている。また再生ヒータ１０３は、ヒーターを段階的に制御するため、複数段階の切り替えが行えるように構成されている。操作部１０９には除湿装置の運転を開始するための運転切および入スイッチ１１０が配されている。また除湿装置の本体１１１の下部には凝縮器１０５において結露した水分を貯めるためのタンク１１２と、湿気を含んだ空気を吸込む吸込口１１３が設けられている（例えば、特許文献１参照）。
【０００３】
上記構成において、除湿装置の動作概要について図４を参照しながら説明する。まず使用者によって操作部１０９に配された運転切および入スイッチ１１０が押された場合に、除湿装置の運転が開始される。制御部１０８は、温度センサー１０６および湿度センサー１０７によって検出される室内温度および室内湿度に応じて、同時に送風ファン１０１と再生ヒータ１０３の予め設定されている段数の通電と再生ファン１０４を駆動し、また吸湿材１０２の回転を開始する。制御部１０８による送風ファン１０１の駆動により、湿気を含んだ空気が吸込口１１３から流入する。その後回転している吸湿材１０２を通過することにより、水分は吸湿材１０２に吸着し、乾燥した空気が吹出口１１２から排出される。一方、水分を吸着した吸湿材１０２は再生ファン１０４により、再生ヒータ１０３により加熱された空気が送り込まれることにより、その水分を放出し凝縮器１０５へと導かれる。高温高湿となった空気は凝縮器１０５において、吸込口より流入する空気により冷却され、水分が凝縮される。凝縮された水分は凝縮器１０５の内部を通じて、タンク１１２へと導かれ貯水する。
【特許文献１】特開２００４−２６４１９３号公報
【発明の開示】
【発明が解決しようとする課題】
【０００４】
このような従来の除湿装置においては、制御部１０８が、温度センサー１０６および湿度センサー１０７によって検出される室内温度および室内湿度に応じて、自動的に加熱手段である再生ヒーター１０３を制御するか、または使用者によって設定される運転モードに併せて、送風ファン１０１および再生ヒーター１０３を制御部１０８が制御するため、使用者は、設定した運転モードで加熱手段である再生ヒーター１０３がどれくらいの加熱を行い、室温がどのくらい上昇するかということを認識しにくいという課題があった。
【０００５】
また、部屋の湿度を快適な湿度に保つおまかせ運転においては、除湿運転により部屋の湿度が適湿に達した場合に、再生ヒーター１０３の通電を止めて、送風ファン１０１のみ駆動し、部屋の湿度のムラを低減するサーキュレーション運転に切り替わるが、使用者から見た場合、除湿運転を行っているのか、サーキュレーション運転を行っているのか一目では判断が付かないという課題があった。
【０００６】
本除湿装置は上記課題を解決するためのものであり、加熱手段の制御状況を表示部で表示し、使用者にお知らせすることによって、使用者が室温温度上昇具合と、除湿装置の運転状況を把握することができるという、使い勝手の良い除湿装置を提供することができる。
【課題を解決するための手段】
【０００７】
上記課題を解決するために、前記吸着剤に除湿対象空気を送風する送風手段と、前記吸着材を加熱再生するための加熱手段と再生ファンを備えた再生部と、この再生部と連通して水分を凝縮する熱交換部と、室内の温湿度を検出するための温度センサおよび湿度センサと、前記温度センサおよび湿度センサの検出結果に応じて前記送風手段と加熱手段と再生ファンを運転制御する制御部と、前記除湿装置本体の外郭に表示手段を備え、前記制御部は前記表示手段を用いて前記加熱手段の加熱状況を使用者に知らせることを特徴としたものである。
【０００８】
この手段により、除湿装置本体内部における加熱手段の制御状況を使用者が一目で把握する事ができ、使用者は室温の温度上昇度合いを確認しながら、除湿装置の運転モードの設定および設定変更を行うことができ、使用者の意図に即した室温温度上昇度合いを選択することができる除湿装置を得ることができる。
【０００９】
また他の手段は、人を検出する人検出装置を設け、人の検出状況に応じて制御部は加熱手段を制御するを特徴としたものである。
【００１０】
この手段により、制御部は除湿装置本体が設置されている部屋に、人が存在するかどうかを判断することにより、加熱手段の制御を行い、室温の温度上昇を適切に制御することにより、使用者が不快になる程の部屋の温度上昇を防ぎ、快適な室温を維持することのできる除湿装置を得ることができる。
【００１１】
また他の手段は、設定手段を設け、人の検出状況に応じて制御部は加熱手段を制御する運転モードを使用者が選択できることを特徴としたものである。
【００１２】
この手段により、使用者が加熱手段の自動制御および手動制御を選択することができ、使い勝手の良い除湿装置を得ることができる。
【００１３】
また他の手段は、表示手段は複数の表示用ＬＥＤによって構成され、加熱手段の消費電力に比例して点灯するＬＥＤの数が増減することを特徴としたものである。
【００１４】
この手段により、使用者は加熱手段の消費電力を、細かく把握することのできる除湿装置を得ることができる。
【００１５】
また他の手段は、除湿装置の保護のために、加熱手段の消費電力を低減する保護運転中においては、加熱状態の表示手段を消灯することを特徴としたものである。
【００１６】
この手段により、使用者に機器の保護運転中であることを瞬時に認識させ注意を喚起することのできる除湿装置を得ることができる。
【００１７】
また他の手段は、加熱状況を暖色系の色のＬＥＤによって表示するとしたことを特徴としたものである。
【００１８】
この手段により、使用者がより室温温度上昇に影響する加熱手段の制御状況を表していることを認識しやすい除湿装置を得ることができる。
【００１９】
また他の手段は、室内湿度が設定された雰囲気湿度に達すると室内のサーキュレーションのための送風運転を行い、表示手段は加熱状況を表す色以外の色で表示することを特徴としたものである。
【００２０】
この手段により、使用者はサーキュレーション運転を行っていることを一目で把握することのできる除湿装置を得ることができる。
【００２１】
また他の手段は、使用者が除湿装置の設定または設定変更を行うと負荷制御装置の保護のための加熱手段の出力の変更を一定時間規制し、一定時間経過後に行われる加熱手段の加熱状況を表示すること特徴としたものである。
【００２２】
この手段により、使用者に誤解を招くことを防ぎ、使い勝手のよい除湿装置を得ることができる。
【００２３】
また他の手段は、室温が高温または低温時において、加熱手段の出力を停止している場合には、サーキュレーション運転であることを表示手段で表すことを特徴としたものである。
【００２４】
この手段により、使用者は高温または低温時において、使用者に機器の保護運転中であることを瞬時に認識させ注意を喚起し、除湿運転を停止していることをお知らせすることのできる除湿装置を得ることができる。
【００２５】
また他の手段は、加熱手段の加熱状況を示す表示手段は、排水タンクが満水時には、点滅することによって満水であることを示す機能を兼ねたことを特徴としたものである。
【００２６】
この手段により、表示手段の部品の削減により、安価な除湿装置を得ることができ、また離れたところからでも機器の状態の認識性が向上した除湿装置を得ることができる。
【００２７】
また他の手段は、加熱手段の加熱状況を示す表示手段は、除湿装置本体の異常時に、点滅することによって異常であることを示す機能を兼ねたことを特徴としたものである。
【００２８】
この手段により、離れたところからでも機器の異常状態を認識しやすい除湿装置を得ることができる。
【００２９】
また他の手段は、表示手段を使用者によって任意に輝度を可変、または消灯することを可能としたことを特徴とするものである。
【００３０】
この手段により、例えば就寝時には表示手段の消灯をさせることができ、使用者にとって使い勝手が良く、また消費電力を抑えることのできる除湿装置を得ることができる。
【発明の効果】
【００３１】
本発明によれば、使用者が室温温度上昇を把握しながら、使用者の意図に即した室温温度上昇度合いを選択することができるようになり、使い勝手の良いという効果のある除湿装置を提供することができる。
【００３２】
また、使用者が除湿装置から離れた場所に居る場合においても、表示手段によって機器の状態を一目で確認できるようになり、視認性の良い除湿装置を提供することができる。
【００３３】
また、使用者が表示手段の輝度を任意に選択できるようになり、使い勝手がよく消費電力を抑えることのできる除湿装置を提供することができる。
【発明を実施するための最良の形態】
【００３４】
本発明の請求項１記載の発明は、除湿装置本体に設けた回転可能な吸着材と、前記吸着剤に除湿対象空気を送風する送風手段と、前記吸着材を加熱再生するための加熱手段と再生ファンを備えた再生部と、この再生部と連通して水分を凝縮する熱交換部と、室内の温湿度を検出するための温度センサおよび湿度センサと、前記温度センサおよび湿度センサの検出結果に応じて前記送風手段と加熱手段と再生ファンを運転制御する制御部と、前記除湿装置本体の外郭に表示手段を備え、前記制御部は前記表示手段を用いて前記加熱手段の加熱状況を使用者に知らせるようにしたものであり、使用者は、運転モードの設定を行う際には、使用者の意図に即した加熱手段の選択が可能となることにより、使用者の意図に即した除湿装置の設置された部屋の室温温度上昇度合いを選択することができるようになり、使い勝手が向上するという作用を有する。
【００３５】
また、本発明の請求項２記載の発明は、人を検出する人検出装置を設け、人の検出状況に応じて制御部は加熱手段を制御し、前記加熱手段の制御状況を表示手段で表すことを特徴としたものであり、例えば除湿装置が設置された部屋に人の存在を検出した場合は、室温温度上昇が少なくなるように、制御部は加熱手段の通電を押さえ、逆に人の存在を検出できない場合には、加熱手段への通電量を多くするなどの制御を行うことにより、使用者が不快になる程の部屋の温度上昇を防ぎ、快適な室温を維持することができるという作用を有する。
【００３６】
また、本発明の請求項３記載の発明は、設定手段を設け、人の検出状況に応じて制御部は加熱手段を制御する運転モードを使用者が選択できることを特徴としたものであり、使用者が加熱手段の自動制御および手動制御を選択することができ、使い勝手がより向上するという作用を有する。
【００３７】
また、本発明の請求項４記載の発明は、表示手段が複数のＬＥＤによって構成され、加熱手段の消費電力に比例して点灯するＬＥＤの数が増減することを特徴としたものであり、制御部は加熱装置の制御状況を段階的に表示部を使用して表示することにより、使用者は加熱手段の消費電力を、細かく把握することのできるという作用を有する。
【００３８】
また、本発明の請求項５記載の発明は、除湿装置の保護のために、加熱手段の消費電力を低減する保護運転中においては、加熱状態の表示手段を消灯するとしたものであり、使用者は機器の保護運転中であることを瞬時に認識させ注意を喚起することができるという作用を有する。
【００３９】
また、本発明の請求項６記載の発明は、加熱状況を暖色系の色のＬＥＤによって表示するとしたものであり、使用者がより室温温度上昇に影響する加熱手段の制御状況を表していることを認識しやすいという作用を有する。
【００４０】
また、本発明の請求項７記載の発明は、室内湿度が設定された雰囲気湿度に達すると室内のサーキュレーションのための送風運転を行い、表示手段は加熱状況を表す色以外の色で表示するとしたものであり、使用者が除湿装置から離れた場所に居る場合においても、表示手段によって機器の状態を一目で確認できるようになるという作用を有する。
【００４１】
また、本発明の請求項８記載の発明は、使用者が除湿装置の設定または設定変更を行うと負荷制御装置の保護のための加熱手段の出力の変更を一定時間規制し、一定時間経過後に行われる加熱手段の加熱状況を表示するとしたものであり、使用者に誤解を招くことを防ぎ、使い勝手が良くなるという作用を有する。
【００４２】
また、本発明の請求項９記載の発明は、室温が高温または低温時において、加熱手段の出力を停止している場合には、サーキュレーション運転であることを表示手段で表すとしたものであり、使用者は高温または低温時において、使用者に機器の保護運転中であることを瞬時に認識させ注意を喚起し、除湿運転を停止していることをお知らせすることができるという作用を有する。
【００４３】
また、本発明の請求項１０記載の発明は、加熱手段の加熱状況を示す表示手段は、排水タンクが満水時には、点滅することによって満水であることを示す機能を兼ねるとしたものであり、表示手段の部品の削減により、安価な除湿装置を得ることができ、また離れたところからでも機器が満水となり、その状態の認識がしやすくなることにより、使用者に排水作業を確実に実施してもらうという作用を有する。
【００４４】
また、本発明の請求項１１記載の発明は、加熱手段の加熱状況を示す表示手段は、除湿装置本体の異常時に、点滅することによって異常であることを示す機能を兼ねるとしたものであり、使用者が離れたところからでも機器の異常状態を認識しやすくなるという作用を有する。
【００４５】
また、本発明の請求項１２記載の発明は、表示手段を使用者によって任意に輝度を可変、または消灯することを可能としたものであり、使用者が表示手段の輝度を任意に選択できるようになることにより、使い勝手がよく消費電力を抑えることのできる除湿装置を提供することができる。
【００４６】
以下、本発明の実施の形態について図面を参照しながら説明する。
【００４７】
（実施の形態１）
図１に除湿装置本体、図２に操作部詳細、図３に制御部１６の制御構成図を示す。
【００４８】
図示はしていないが、例えば、空気中の水分を吸放湿するシリカゲル、あるいはゼオライトなどの吸着材で充填されたロータをモータで回転し、吸着材が充填されたロータを除湿対象空気が通過する除湿ゾーンとヒータなどの加熱手段により加熱された再生空気が通過する再生部である加熱ゾーンに仕切りることにより、モータによるロータの回転に伴って、除湿材が、除湿ゾーン→再生部である加熱ゾーン→除湿ゾーンと、順々に繰り返し回転移動することになる。
【００４９】
これにより、送風機などの送風手段から、除湿ゾーンに除湿対象空気が送風され、吸着剤の一例であるゼオライトに吸湿されて除湿され乾燥空気となって供給される。吸湿により、ゼオライトの吸湿能力が飽和してくると、ロータの回転により、除湿ゾーンで吸湿したゼオライトなどの吸着材、すなわち吸湿材が除湿ゾーンから再生部である加熱ゾーンに回転移動し、ヒータなどの加熱手段により加熱された再生空気が再生ファンにより再生部である加熱ゾーンに送風されることにより、除湿ゾーンで吸湿した吸着材、すなわち吸湿材が加熱され吸湿した水分を放湿し除湿材が再生され、再び、吸湿能力を取り戻すことになる。
【００５０】
加熱手段と再生ファンにより放湿された高温高湿の再生空気は除湿対象空気と熱交換部で熱交換され、冷却され、水分が凝縮し、水滴となって再生空気から除湿される。水分が凝縮し除去された再生空気は、低温低湿の乾燥空気となって、再生ファンにより、加熱ゾーンに循環供給され、除湿材から吸湿した水分を放湿し除湿材再生の循環処理を行う。
【００５１】
ロータにより、再生部である加熱ゾーンから除湿ゾーンに回転し、上述の除湿が行われ、以降、ロータの回転に伴って再生部である加熱ゾーンでの再生、次に、除湿ゾーンでの除湿と繰り返される。
【００５２】
ロータは、例えば、デシカントロータとして、モータにより回転される回転軸の軸方向に通風可能なハニカム構造、あるいはコルゲート構造のセラミックなどの円筒構造体に、シリカゲル、ゼオライトなどの吸放湿材を担持してもよいし、シリカゲル、ゼオライトなどの吸放湿材を回転軸の軸方向に通風可能なハニカム構造、あるいはコルゲート構造などの円筒構造体にすることは、何等差し支えない。
【００５３】
図１〜図３に示すように、除湿装置本体１下部には、貯水タンク２が配置され、除湿装置本体１からの結露水を貯水する。除湿装置本体１天面には使用者が除湿装置本体１の運転を切または入設定、および各運転モードを設定するための操作表示部３が設けられている。操作表示分３には操作部４が設けられ、操作部４には運転を切または入設定にするための運転切／入スイッチ４ａおよび除湿運転モードを切替えるための除湿切替スイッチ４ｂ、衣類乾燥モードを設定するための衣類乾燥スイッチ４ｃ、除湿装置本体１の運転のタイマー時間を設定するためのタイマースイッチ４ｄ、人検知モードを切／入するための設定手段としての人検出モード設定スイッチ４ｅが設けられている。また上記スイッチによる設定を表示するための設定表示部５が設けられている。
【００５４】
制御部１６の制御内容を以下示す。本体天面には、人の存在を検出するための焦電型人感センサー６が配され、本体前面には、加熱手段である再生ヒーター７の通電制御状況、すなわち加熱状況を表すための加熱表示部８が設けられている。加熱表示部８は、赤色および青色の２色を点灯することのできるＬＥＤで構成されており、再生ヒーター７が弱のときに暖色系の色である赤色に点灯する弱加熱表示ＬＥＤ８ａ、サーキュレーション運転時に加熱状況を表す色すなわち赤色以外の色である青色に点灯するサーキュレーションＬＥＤ８ｄが一対に、中のときに暖色系の色である赤色に点灯する中加熱表示ＬＥＤ８ｂ、サーキュレーション運転時に青色に点灯するサーキュレーションＬＥＤ８ｅが一対に、強のときに暖色系の色である赤色に点灯する強加熱表示ＬＥＤ８ｃ、サーキュレーション運転時に青色に点灯するサーキュレーションＬＥＤ８ｆが一対となって配されている。
【００５５】
また操作部４には、使用者が加熱表示部８のＬＥＤの輝度を可変または消灯できるように、加熱表示変更スイッチ９が設けられている。また除湿装置本体１内部には、操作表示部３および操作部４、本体外気を吸引および排出を行う送風ファン１０、吸湿装置内部に設けられた、通過する空気中の水分を吸着する吸湿材１１と、吸湿材１１から水分を放出するため、吸湿材１１を加熱再生するための加熱手段である再生ヒーター７とで構成されている。なお再生ヒーター７は再生ヒーター７ａおよび再生ヒーター７ｂとで構成されている。また再生空気を流路循環させるための送風手段である再生ファン１２と、吸湿材１１から放出される水分を凝縮させる凝縮器１３と、室温を検出するための温度センサー１４と、部屋の湿度を検出するための湿度センサー１５とが配され、これらを制御するための制御部１６が設置されている。
【００５６】
上記構成において、使用者によって運転切／入スイッチ４ａが押されたとき、その信号を受けて制御部１６は、温度センサー１４と湿度センサー１５からの検出結果に応じて、各負荷を駆動し除湿装置は運転を開始する。このときの運転モードは予め設定されている除湿運転または、前回使用者が使用した運転を行う。また運転開始と共に、制御部１６は表１に示す内容に即して再生ヒーター７の制御内容を加熱表示部８を用いて表示する。また、表１に、加熱手段の消費電力に比例し、点灯するＬＥＤの数が増減する一例を示す。
【００５７】
【表１】
2008093506.tif 000003
【００５８】
また使用者は、除湿切替スイッチ４ｂ、衣類乾燥スイッチ４ｃを押すことにより、他の運転モードを選択することができる。使用者は加熱手段である再生ヒーター７の制御状況を確認しながら、好みに合わせて運転モードを選択することができるため、意図しない程の室温温度上昇を防ぐ事ができる。このとき使用者が人検出モードスイッチ４ｅを設定した場合に、制御部１６は表２に示すように、焦電型人感センサー６の駆動を行う。
【００５９】
【表２】
2008093506.tif 000004
【００６０】
焦電型人感センサー６が人の存在を検出した場合は、再生ヒーター７の出力を１段下げることにより、室温温度上昇を抑制することができる。次に、表３を用いて保護運転時の動作を説明する。
【００６１】
【表３】
2008093506.tif 000005
【００６２】
表３に示すように、機器の保護のために室温が０℃以下の低温および４０℃以上の高温時には、再生ヒーター７をＯＦＦする。このときに、加熱表示部８は再生ヒーター７の出力に合わせて弱加熱表示ＬＥＤ８ａ、中加熱表示ＬＥＤ８ｂ、強加熱表示ＬＥＤ８ｃの中で点灯していたＬＥＤを消灯し、サーキュレーションＬＥＤ８ｄから８ｆを点灯させることにより、使用者に機器保護であることを認識させ注意を喚起することができる。部屋の湿度を一定に保つためのおまかせ運転においては、部屋の湿度が５５％以下の場合は、除湿する必要が無いため、制御部１６は再生ヒーター７の通電を停止し、部屋の湿度のムラを低減させるために、送風運転に切替える。このとき、制御部１６は、加熱表示８の表示を青色表示を行うことにより、使用者に対してサーキュレーション運転を行っていることを報知する。
【００６３】
また、制御部１６は、除湿運転開始時に再生ヒーター７ａおよび７ｂの両方の通電を行う際に、再生ヒーター７ａおよび７ｂは、リレーで制御されている。駆動に電流が多く必要なリレーを同時に駆動を行うと制御部１６の低圧電源が変動してしまうため、それぞれのリレーの駆動には一定時間であるタイムラグが数＋ｍｓ設けている。この時に、再生ヒーター７に即したタイミングで、加熱表示部８の点灯を行った場合に、加熱表示部８の表示の変更にもタイムラグが生じることにより、使用者が違和感を抱いてしまう。この現象を防ぐために、制御部１６は設定された段階で数＋ｍｓ程度の一定時間経過後の加熱手段の加熱状況を加熱表示部８に表示する。
【００６４】
次に、除湿装置の運転により、除湿装置本体１からの結露水を貯水する貯水タンク２の貯水量が満水になった場合、制御部１６は除湿装置本体１の運転を停止するとともに、加熱表示を０．５秒間ＯＮ、０．５秒間ＯＦＦのように点滅させることにより、使用者に貯水タンク２の排水を促す。また、除湿装置本体１内部に異常が生じた場合に、制御部１６は除湿装置本体１の運転を停止するとともに、加熱表示を満水時よりもすばやい０，１秒間ＯＮ、０．１秒間ＯＦＦという具合に点滅させることにより、使用者に異常であることを報知する。使用者は、加熱表示部８の輝度を例えば居住空間において、就寝時に使用する場合には、好みに応じて加熱表示変更スイッチ９を押すことにより、輝度を可変させたり消灯させたりできる。
【００６５】
本実施の形態１によれば、使用者が室温温度上昇を把握しながら、使用者の意図に即した室温温度上昇度合いを選択することができるようになり、使い勝手の良いという効果のある除湿装置を提供することができ、また、使用者が除湿装置から離れた場所に居る場合においても、表示手段によって機器の状態を一目で確認できるようになり、視認性の良い除湿装置を提供することができる。
【００６６】
また、使用者が表示手段の輝度を任意に選択できるようになり、使い勝手がよく消費電力を抑えることのできる除湿装置を提供することができる。
【００６７】
なお本実施例において、加熱表示手段として二色ＬＥＤを用いたが、それぞれ異なる単色のＬＥＤを並べて使用しても、その効果には差異を生じない。
【産業上の利用可能性】
【００６８】
加熱手段の表示装置を備えた除湿装置であり、温風機や乾燥機などの用途にも適用できる。
【図面の簡単な説明】
【００６９】
【図１】本発明の実施の形態１の除湿装置本体の斜視図
【図２】同実施の形態１の操作部詳細図
【図３】同実施の形態１の制御構成図
【図４】従来例の除湿装置構成図
【符号の説明】
【００７０】
１    除湿装置本体
２    貯水タンク
３    操作表示部
４    操作部
４ａ  運転切／入スイッチ
４ｂ  除湿切替スイッチ
４ｃ  衣類乾燥スイッチ
４ｄ  タイマースイッチ
４ｅ  人検出モード設定スイッチ
４ｆ  水位表示切／入スイッチ
５    設定表示部
６    焦電型人感センサー
７    再生ヒーター
７ａ  再生ヒーター
７ｂ  再生ヒーター
８    加熱表示部
８ａ  弱加熱表示ＬＥＤ
８ｂ  中加熱表示ＬＥＤ
８ｃ  強加熱表示ＬＥＤ
８ｄ  サーキュレーションＬＥＤ
８ｅ  サーキュレーションＬＥＤ
８ｆ  サーキュレーションＬＥＤ
９    加熱表示変更スイッチ
１０    送風ファン
１１    吸湿材
１２    再生ファン
１３    凝縮器
１４    温度センサー
１５    湿度センサー
１６    制御部
【図１】
2008093506.tif 000006
【図２】
2008093506.tif 000007
【図３】
2008093506.tif 000008
【図４】
2008093506.tif 000009